(57)【特許請求の範囲】
【請求項１】
複数の無線端末装置に対する各送信データを割り当てたフレームを前記複数の無線端末装置へ順次送信する無線基地局装置において、
対象のフレームのデータチャネルに前記各送信データを割り当てる割当手段と、
前記割当手段による前記各送信データの各割当情報のうちの、前記対象のフレームの制御チャネルの容量制限内の割当情報を前記制御チャネルに格納する第１格納手段と、
前記各割当情報のうちの前記容量制限を超える割当情報を前記対象のフレームとは異なるフレームの制御チャネルに格納する第２格納手段と、
前記各送信データが割り当てられ、前記割当情報を格納されたフレームを前記複数の無線端末装置へ送信する送信手段と、
を備えることを特徴とする無線基地局装置。
【請求項２】
前記第２格納手段は、前記対象のフレームおよび前記異なるフレームの各フレームのうちの先に送信するフレームの制御チャネルに、前記各フレームのうちの後に送信するフレームを識別する情報を格納することを特徴とする請求項１に記載の無線基地局装置。
【請求項３】
前記第２格納手段は、前記容量制限を超える割当情報を前記対象のフレームの前のフレームの制御チャネルに格納することを特徴とする請求項１に記載の無線基地局装置。
【請求項４】
前記第２格納手段は、前記第１格納手段によって前記割当情報が格納された前記前のフレームの制御チャネルの容量に空きがある場合に、前記対象のフレームの前記容量制限を超える割当情報を検出し、検出した割当情報を前記前のフレームの制御チャネルに格納することを特徴とする請求項３に記載の無線基地局装置。
【請求項５】
前記第２格納手段は、前記対象のフレームの制御チャネルの容量制限を超える割当情報を前記前のフレームの制御チャネルに格納することを示す情報を前記前のフレームの制御チャネルに格納することを特徴とする請求項３に記載の無線基地局装置。
【請求項６】
前記第２格納手段は、前記容量制限を超える割当情報を前記対象のフレームの次のフレームの制御チャネルに格納することを特徴とする請求項１に記載の無線基地局装置。
【請求項７】
前記第２格納手段は、前記容量制限を超える割当情報を前記次のフレームの制御チャネルに格納することを示す情報を前記対象のフレームの制御チャネルに格納することを特徴とする請求項６に記載の無線基地局装置。
【請求項８】
複数の無線端末装置に対する各送信データを割り当てたフレームを無線基地局装置から順次受信する受信手段と、
前記受信手段によって受信されたフレームの制御チャネルから、前記受信されたフレームの後のフレームに割り当てられた送信データの割当情報のうちの前記後のフレームの制御チャネルの容量制限を超える割当情報を、前記受信されたフレームの制御チャネルに格納することを示す情報を抽出する抽出手段と、
前記抽出手段によって抽出された情報に基づいて、前記受信されたフレームの制御チャネルに格納された割当情報を用いて、前記後のフレームに割り当てられた自装置宛の送信データを取得する取得手段と、
を備えることを特徴とする無線端末装置。
【請求項９】
複数の無線端末装置に対する各送信データを割り当てたフレームを無線基地局装置から順次受信する受信手段と、
前記受信手段によって受信されたフレームの制御チャネルから、前記受信されたフレームに割り当てられた送信データの割当情報のうちの前記受信されたフレームの制御チャネルの容量制限を超える割当情報を、前記受信されたフレームの後のフレームの制御チャネルに格納することを示す情報を抽出する抽出手段と、
前記抽出手段によって抽出された情報に基づいて、前記後のフレームの制御チャネルに格納された割当情報を用いて、前記受信されたフレームに割り当てられた自装置宛の送信データを取得する取得手段と、
を備えることを特徴とする無線端末装置。
【請求項１０】
複数の無線端末装置に対する各送信データを割り当てたフレームを前記複数の無線端末装置へ順次送信する無線基地局の無線通信方法において、
対象のフレームのデータチャネルに前記各送信データを割り当てる割当工程と、
前記割当工程による前記各送信データの各割当情報のうちの、前記対象のフレームの制御チャネルの容量制限内の割当情報を前記制御チャネルに格納する第１格納工程と、
前記各割当情報のうちの前記容量制限を超える割当情報を前記対象のフレームとは異なるフレームの制御チャネルに格納する第２格納工程と、
前記各送信データが割り当てられ、前記割当情報を格納されたフレームを前記複数の無線端末装置へ送信する送信工程と、
を含むことを特徴とする無線通信方法。
【発明の詳細な説明】
【技術分野】
【０００１】
本件は、無線通信を行う無線基地局装置、無線端末装置および無線通信方法に関する。
【背景技術】
【０００２】
第３世代移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において標準化作業が進められているＬＴＥ（Ｌｏｎｇ  Ｔｅｒｍ  Ｅｖｏｌｕｔｉｏｎ）は、ダウンリンクで１００Ｍｂｐｓのデータ伝送が可能な移動通信システムである。
【０００３】
ＬＴＥにおける無線通信システムにおいて、無線基地局とその管理エリア内の複数の無線端末装置との間の通信方式には、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式などが用いられている。無線基地局と無線端末装置との間でやりとりされるフレームは、主にデータチャネル（共有チャネル：ＳＣＨ：Ｓｈａｒｅｄ  ＣＨ）と制御チャネル（ＣＣＨ：Ｃｏｎｔｒｏｌ  ＣＨ）に分かれている（たとえば、下記非特許文献１参照。）。
【０００４】
無線基地局から無線端末装置へのダウンロード方向の通信に関していえば、無線基地局は、たとえばフレームの帯域（システム帯域）を２０ＭＨｚとした場合に、フレームの共有チャネルを１５ｋＨｚごとのリソースブロックに区切り、各リソースブロックにどの送信データを割り当てるかを示す割当情報（マッピング情報）を制御チャネルに格納する。各送信データの各割当情報は、コード多重されて制御チャネルに格納される。
【０００５】
無線基地局からこのフレームを受信した無線端末装置は、フレームの制御チャネルから割当情報を取得し、自分宛の送信データがそのフレームに割り当てられているかを判断する。無線端末装置は、自分宛の送信データがそのフレームに割り当てられている場合に、割当情報に基づいて、フレームのデータチャネルから自分宛の送信データを取得する。
【０００６】
【非特許文献１】“Ｄｏｗｎｌｉｎｋ  ｔｒａｎｓｐｏｒｔ  ｃｈａｎｎｅｌｓ  ａｎｄ  ｃｏｎｔｒｏｌ  ｉｎｆｏｒｍａｔｉｏｎ”、［ｏｎｌｉｎｅ］、３ＧＰＰ、［平成１９年１２月２６日検索］、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１２／３６２１２−８１０．ｚｉｐ＞、５．３章
【発明の開示】
【発明が解決しようとする課題】
【０００７】
しかしながら、上述した従来技術では、フレームの制御チャネルには格納できる情報の容量制限がある。一方、１つのフレームに割り当てる送信データの数が多くなると制御チャネルに格納する割当情報の容量が増加する。このため、データチャネルの容量に空きがあったとしても、割当情報の容量が制御チャネルの容量制限を超える場合は、それ以上の送信データをデータチャネルに割り当てることができないという問題がある。
【０００８】
このため、制御チャネルの容量制限を超えない範囲で送信データの割当を行う必要があり、データチャネルの容量に空きが生じて無線資源を効率的に利用することができない。特に、１つのフレームに割り当てる送信データの数が多く、かつ各送信データの容量が小さい状況では、データチャネルの容量に空きがあるにもかかわらず、割当情報の容量が制御チャネルの容量制限を超えることが多い。また、ＬＴＥにおけるフレームの制御チャネルは、フレームの１〜２シンボル目に定められており、容量の制限が厳しい。
【０００９】
開示の無線基地局装置、無線端末装置および無線通信方法は、上述した問題点を解消するものであり、無線資源を効率的に利用することを目的とする。
【課題を解決するための手段】
【００１０】
上述した課題を解決し、目的を達成するため、この無線基地局装置は、複数の無線端末装置に対する各送信データを割り当てたフレームを前記複数の無線端末装置へ順次送信する無線基地局装置において、対象のフレームのデータチャネルに前記各送信データを割り当てる割当手段と、前記割当手段による前記各送信データの各割当情報のうちの、前記対象のフレームの制御チャネルの容量制限内の割当情報を前記制御チャネルに格納する第１格納手段と、前記各割当情報のうちの前記容量制限を超える割当情報を前記対象のフレームとは異なるフレームの制御チャネルに格納する第２格納手段と、前記各送信データが割り当てられ、前記割当情報を格納されたフレームを前記複数の無線端末装置へ送信する送信手段と、を備えることを要件とする。
【００１１】
上記構成によれば、対象のフレームに割り当てる各送信情報の各割当情報のうちの制御チャネルの容量制限を超える割当情報を、対象のフレームとは異なるフレームの制御チャネルに格納することで、データチャネルの容量に空きがあれば、制御チャネルの容量制限を超えて送信データを割り当てることができる。
【発明の効果】
【００１２】
以上説明したように、開示の無線基地局装置、無線端末装置および無線通信方法によれば、無線資源を効率的に利用することができるという効果を奏する。
【発明を実施するための最良の形態】
【００１３】
以下に添付図面を参照して、無線基地局装置、無線端末装置および無線通信方法の好適な実施の形態を詳細に説明する。
【００１４】
（実施の形態の概要）
図１は、実施の形態にかかる無線基地局装置の概要を示す図である。図１に示すように、この実施の形態にかかる無線基地局装置１００は、無線端末装置ＵＥ＃１〜ＵＥ＃１０に対する各送信データ＃１〜＃１０…を割り当てた各フレームを無線端末装置ＵＥ＃１〜ＵＥ＃１０へ順次送信する。無線基地局装置１００は、バッファ１１１と、割当部１１２と、第１格納部１１４と、第２格納部１１５と、送信部１１６と、を備えている。
【００１５】
フレーム１２０およびフレーム１３０は、無線基地局装置１００が順次生成して送信するフレームを示している。フレーム１２０は、データチャネル１２１と制御チャネル１２２から構成されている。同様に、フレーム１３０は、データチャネル１３１と制御チャネル１３２から構成されている。ここでは、フレーム１３０はフレーム１２０の次に生成されるフレームであるとする。また、フレーム１３０の後にも順次フレームが生成される。
【００１６】
バッファ１１１には、送信データ＃１〜＃１０…が一時的に保持される。送信データ＃１〜＃１０の宛先はそれぞれ無線端末装置ＵＥ＃１〜ＵＥ＃１０である。割当部１１２は、バッファ１１１に保持された送信データ＃１〜＃１０を順次読み出す。割当部１１２は、生成する対象のフレームのデータチャネルに、データチャネルの容量の範囲内でバッファ１１１から読み出した各送信データを割り当てる。
【００１７】
ここでは、割当部１１２は、フレーム１２０のデータチャネル１２１に送信データ＃１〜＃３を割り当てている。また、割当部１１２は、フレーム１３０のデータチャネル１３１に送信データ＃４〜＃１０を割り当てている。割当部１１２は、各送信データを割り当てたフレーム１２０およびフレーム１３０を格納部１１３へ出力する。
【００１８】
格納部１１３は、割当部１１２から出力されたフレームに割り当てられた各送信データの各割当情報をフレームの制御チャネルに格納する。送信データの割当情報とは、その送信データがデータチャネルのどの部分に割り当てられているかを示す情報であり、その送信データの宛先（無線端末装置ＵＥ＃１〜ＵＥ＃１０のいずれか）の情報とともに格納される。各割当情報は、制御チャネル内でコード多重されて格納される。
【００１９】
格納部１１３は、具体的には、機能的構成として第１格納部１１４と第２格納部１１５に分けられる。第１格納部１１４は、割当部１１２から出力された対象のフレームに割り当てられた各送信データの各割当情報のうちの、対象のフレームの制御チャネルの容量制限内の割当情報を対象のフレームの制御チャネルに格納する。
【００２０】
ここでは、フレーム１２０に割り当てられた送信データ＃１〜＃３の合計容量は、制御チャネル１２２の容量制限内であるとする。この場合は、第１格納部１１４は、直点線矢印で示すように、送信データ＃１〜＃３の各割当情報をフレーム１２０の制御チャネル１２２に格納する。また、フレーム１３０に割り当てられた各送信データのうちの、送信データ＃４〜＃８の割当情報の合計容量は制御チャネル１３２の容量制限内であるとする。
【００２１】
また、送信データ＃４〜＃８の割当情報の合計容量に、送信データ＃９，＃１０のいずれの容量を加えても制御チャネル１３２の容量制限を超えるとする。この場合は、第１格納部１１４は、送信データ＃４〜＃８の各割当情報をフレーム１３０の制御チャネル１３２に格納し、送信データ＃９，＃１０の各割当情報は制御チャネル１３２に格納しない。
【００２２】
第２格納部１１５は、割当部１１２から出力された対象のフレームに割り当てられた各送信データの各割当情報のうちの、対象のフレームの制御チャネルの容量制限を超える割当情報を、対象のフレームとは異なるフレームの制御チャネルに格納する。ここでは、対象のフレーム１２０に割り当てられた送信データ＃１〜＃３の各割当情報には、フレーム１２０の制御チャネル１２２の容量制限を超える割当情報は存在しない。
【００２３】
一方、対象のフレーム１３０に割り当てられた送信データ＃９，＃１０の各割当情報は、フレーム１３０の制御チャネル１３２の容量制限を超える割当情報である。したがって、第２格納部１１５は、曲点線矢印で示すように、送信データ＃９，＃１０を、フレーム１３０とは異なるフレームの制御チャネルに格納する。
【００２４】
たとえば、第２格納部１１５は、下向きの曲点線矢印で示すように、送信データ＃９，＃１０を、フレーム１３０の前のフレーム１２０の制御チャネル１２２に格納する。または、第２格納部１１５は、上向きの曲点線矢印で示すように、送信データ＃９，＃１０を、フレーム１３０の次に生成されるフレームの制御チャネルに格納する。
【００２５】
また、第２格納部１１５は、割当情報を対象のフレームとは異なるフレームの制御チャネルに格納した場合は、その旨のフラグ情報と、対象のフレームおよび異なるフレームのうちの後に送信するフレームを識別するフレーム識別情報と、を対象のフレームおよび異なるフレームのうちの先に送信するフレームの制御チャネルに格納する。
【００２６】
たとえば、第２格納部１１５は、フレーム１３０に割り当てられた送信データ＃９，＃１０の各割当情報をフレーム１２０の制御チャネル１２２に格納した場合は、その旨の情報をフレーム１２０の制御チャネル１２２に格納する。または、第２格納部１１５は、送信データ＃９，＃１０の各割当情報をフレーム１３０の次のフレームの制御チャネルに格納した場合は、その旨の情報をフレーム１３０の制御チャネル１３２に格納する。
【００２７】
格納部１１３は、割当情報を格納した各フレームを送信部１１６へ順次出力する。送信部１１６は、格納部１１３から順次出力される各フレームを、無線端末装置ＵＥ＃１〜ＵＥ＃１０へ無線送信する。無線端末装置ＵＥ＃１〜ＵＥ＃１０のそれぞれは、無線基地局装置１００の管理エリア（図２参照）に存在する移動端末装置である。
【００２８】
無線端末装置ＵＥ＃１〜ＵＥ＃１０のそれぞれは、無線基地局装置１００から無線送信されたフレームを順次受信する。無線端末装置ＵＥ＃１〜ＵＥ＃１０のそれぞれは、受信したフレームの制御チャネルに格納された割当情報に基づいて、受信したフレームのデータチャネルに割り当てられた自装置宛の送信データを取得する。
【００２９】
たとえば、無線端末装置ＵＥ＃１は、フレーム１２０を受信したときに、フレーム１２０の制御チャネル１２２に格納された割当情報に基づいて、データチャネル１２１に割り当てられた送信データ＃１を取得する。また、無線端末装置ＵＥ＃１は、フレーム１３０を受信したときは、フレーム１３０の制御チャネル１３２には無線端末装置ＵＥ＃１を宛先とする割当情報が格納されていないため、フレーム１３０を破棄する。
【００３０】
また、無線端末装置ＵＥ＃１〜ＵＥ＃１０のそれぞれは、受信したフレームの制御チャネルに格納されたフラグ情報およびフレーム識別情報を抽出する。無線端末装置ＵＥ＃１〜ＵＥ＃１０のそれぞれは、抽出したフラグ情報およびフレーム識別情報に基づいて、上述した容量制限を超えた割当情報と、その割当情報の対象のフレームと、を取得する。無線端末装置ＵＥ＃１〜ＵＥ＃１０のそれぞれは、取得した割当情報に基づいて、取得した対象のフレームのデータチャネルに割り当てられた自装置宛の送信データを取得する。
【００３１】
たとえば、無線端末装置ＵＥ＃９は、フレーム１２０を受信したときに、フレーム１３０に割り当てられる送信データ＃９の割当情報をフレーム１２０の制御チャネル１２２に格納した旨の情報が制御チャネル１２２に格納されていた場合は、制御チャネル１２２から送信データ＃９の割当情報を取得して保持する。そして、無線端末装置ＵＥ＃９は、フレーム１３０を受信したときに、制御チャネル１２２から取得して保持していた割当情報に基づいて、フレーム１３０のデータチャネル１３１から送信データ＃９を取得する。
【００３２】
または、無線端末装置ＵＥ＃９は、フレーム１３０を受信したときに、フレーム１３０に割り当てられる送信データ＃９の割当情報をフレーム１３０の次のフレームの制御チャネルに格納した旨の情報が制御チャネル１３２に格納されていた場合は、受信したフレーム１３０を保持する。そして、無線端末装置ＵＥ＃９は、フレーム１３０の次のフレームを受信したときに、受信したフレームの制御チャネルに格納された割当情報に基づいて、保持していたフレーム１３０から送信データ＃９を取得する。
【００３３】
（実施の形態１）
図２は、実施の形態１にかかる無線通信システムの構成を示すブロック図である。図２に示すように、実施の形態１にかかる無線通信システム２００は、アクセスゲートウェイａＧＷ１，ａＧＷ２と、無線基地局装置ｅＮＢ１〜ｅＮＢ３と、無線端末装置ＵＥ＃１〜＃１０…と、を含んで構成されている。アクセスゲートウェイａＧＷ１，２のそれぞれは、基幹ネットワークへのアクセスを行う機能を有する。
【００３４】
アクセスゲートウェイａＧＷ１，２のそれぞれは、ＭＭＥ（Ｍｏｂｉｌｉｔｙ  Ｍａｎａｇｅｍｅｎｔ  Ｅｎｔｉｔｙ）およびＵＰＥ（Ｕｓｅｒ  Ｐｌａｎｅ  Ｅｎｔｉｔｙ）の機能を有する。ＭＭＥは、各無線端末装置の位置登録エリア管理やページングなどの移動管理制御を行う機能である。ＵＰＥは、送信データを転送する機能である。
【００３５】
無線基地局装置ｅＮＢ１〜ｅＮＢ３は、インターフェースＳ１を介してアクセスゲートウェイａＧＷ１，ａＧＷ２のそれぞれと接続されている。また、無線基地局装置ｅＮＢ１〜ｅＮＢ３は、インターフェースＸ２を介して相互に接続されている。無線基地局装置ｅＮＢ１〜ｅＮＢ３は、それぞれ対応する管理エリア２１０，２２０，２３０を有し、対応する管理エリア内の複数の無線端末装置との間で無線通信を行う。無線基地局装置ｅＮＢ１〜ｅＮＢ３は、たとえばＯＦＤＭ方式で無線端末装置と通信を行う。
【００３６】
無線基地局装置ｅＮＢ１〜ｅＮＢ３のそれぞれは、図１に示した無線基地局装置１００に対応している。また、管理エリア２１０内の無線端末装置ＵＥ＃１〜ＵＥ＃１０…は、図１に示した無線端末装置ＵＥ＃１〜ＵＥ＃１０…に対応している。以下、無線基地局装置ｅＮＢ１（以下、単に「無線基地局装置１００」という）と、無線基地局装置１００の管理エリア２１０内の無線端末装置＃１〜＃１０…について説明する。
【００３７】
図３は、無線基地局装置によるフレーム生成の流れを示す図である。図３において、図１または図２に示した部分と同様の部分については同一の符号を付して説明を省略する。ここでは、フレーム１２０（図１参照）を生成する場合について説明する。アクセスゲートウェイａＧＷ１（またはａＧＷ２）は、宛先がそれぞれ無線端末装置ＵＥ＃１〜ＵＥ＃７である送信データ＃１〜＃７を無線基地局装置１００へ送信する。
【００３８】
無線基地局装置１００は、まず、アクセスゲートウェイａＧＷ１から送信された送信データ＃１〜＃７を受信してバッファ１１１（図１参照）に保持する（ステップＳ３１１）。つぎに、ステップＳ３１１によって保持した送信データ＃１〜＃７の宛先である無線端末装置ＵＥ＃１〜ＵＥ＃７のそれぞれの状態チェックを行う（ステップＳ３１２）。
【００３９】
ステップＳ３１２においてチェックする各無線端末装置の状態は、たとえば、無線基地局装置１００との間の同期確立の状態、間欠受信（ＤＲＸ：Ｄｉｓｃｏｎｔｉｎｕｏｕｓ  Ｒｅｃｅｐｔｉｏｎ）の状態、ハンドオフ中か否かの状態である。無線基地局装置１００は、これらの状態から、無線基地局装置１００から送信するフレーム１２０を受信可能な状態にあるか否かを無線端末装置ＵＥ＃１〜ＵＥ＃７のそれぞれについて判断する。
【００４０】
ここでは、無線端末装置ＵＥ＃１〜ＵＥ＃４，ＵＥ＃６，ＵＥ＃７は、無線基地局装置１００との間の同期が確立しており、フレーム１２０を受信可能な状態であるとする（ＯＫ）。一方、無線端末装置ＵＥ＃５は、無線基地局装置１００との間の同期が確立しておらず、フレーム１２０を受信可能な状態ではない（ＮＧ）とする。
【００４１】
つぎに、ステップＳ３１２によってフレーム１２０を受信可能な状態であると判断された無線端末装置ＵＥ＃１〜ＵＥ＃４，ＵＥ＃６，ＵＥ＃７に対応する送信データ＃１〜＃４，＃６，＃７について、優先順位を決定するための係数計算を行う（ステップＳ３１３）。ステップＳ３１３において計算される係数は、送信データの優先度（ｐｒｉｏｒｉｔｙ）や、送信データの再送回数や、送信データの滞留時間などを総合した係数である。
【００４２】
送信データ＃１〜＃４，＃６，＃７のそれぞれの係数は、たとえば、優先度が高く、再送回数が多く、滞留時間が長い送信データほど大きな係数となるように計算される。ここでは、送信データ＃１〜＃４，＃６，＃７のそれぞれについて計算された各係数が、それぞれ「１０」，「２」，「５」，「８」，「３」，「６」であるとする。
【００４３】
つぎに、送信データ＃１〜＃４，＃６，＃７をフレーム１２０のデータチャネル１２１に割り当てるスケジューリングを行う（ステップＳ３１４）。このとき、ステップＳ３１３によって計算された係数が大きい送信データから優先的にスケジューリングを行う。フレーム１２０において、横軸は帯域（Ｈｚ）を示している。
【００４４】
縦軸は時間軸であり、下方から上方に向かって時間が進む。フレーム１２０のデータチャネル１２１は、単位量ごとに帯域および時間を区切ったリソースブロック群３２０に分けられる。フレーム１２０の制御チャネル１２２は、フレーム１２０の先頭の１シンボル目（または１〜２シンボル目）の、フレーム１２０の帯域３３０全体に設けられている。
【００４５】
割当部１１２は、リソースブロック群３２０の中の各リソースブロックにおける品質の情報をあらかじめ取得しておく。割当部１１２は、送信データ＃１〜＃４，＃６，＃７を、係数が大きいほど、リソースブロック群３２０のうちの品質のよいリソースブロックに割り当てる。リソースブロック群３２０の各リソースブロックの品質の情報は、各無線端末装置からのフィードバック情報によって取得する（図１１，１２参照）。
【００４６】
ここでは、リソースブロック群３２０において、帯域が同じで時間が異なる各リソースブロックは品質が同じであるとする。割当部１１２は、データチャネル１２１の帯域３３０の中の各帯域の品質情報をあらかじめ取得しておく。割当部１１２は、送信データ＃１〜＃４，＃６，＃７を、係数が大きい順に、その送信データの宛先の無線端末装置に対する品質のよい帯域に属するリソースブロックに割り当てる。
【００４７】
つぎに、格納部１１３が、ステップＳ３１４による割当に基づく割当情報をフレーム１２０の制御チャネル１２２に格納する（ステップＳ３１５）。具体的には、格納部１１３は、送信データ＃１〜＃４，＃６，＃７のそれぞれについて、ステップＳ３１４によってリソースブロック群３２０のどのリソースブロックに割り当てられたかを示す各割当情報をコード多重して制御チャネル１２２に格納する。また、格納部１１３は、各割当情報とともに、割当情報とは別の各種制御情報を制御チャネル１２２に格納する（図６参照）。
【００４８】
図４は、実施の形態１にかかる無線基地局装置が生成するフレームを示す図（その１）である。図５は、実施の形態１にかかる無線基地局装置が生成するフレームを示す図（その２）である。図４および図５において、図１または図３に示した部分と同様の部分については同一の符号を付して説明を省略する。無線基地局装置１００は、図１に示した場合と同様に、フレーム１２０の次にフレーム１３０を生成して送信する。
【００４９】
まず、割当部１１２は、図４に示すように、フレーム１２０のデータチャネル１２１に対して、無線端末装置ＵＥ＃１〜ＵＥ＃３をそれぞれ宛先とする送信データ＃１，＃２，＃３を割り当てる。第１格納部１１４は、直点線矢印で示すように、送信データ＃１〜＃３の各割当情報をすべてフレーム１２０の制御チャネル１２２に格納する。この時点で、制御チャネル１２２の容量にはまだ空きがあるとする。
【００５０】
第２格納部１１５は、次のフレーム１３０のデータチャネル１３１に割り当てられる各送信データの各割当情報のうちの、制御チャネル１３２の容量制限を超える割当情報を検出する。具体的には、まず、第２格納部１１５は、データチャネル１３１に割り当てられる各送信データの各割当情報の合計容量が制御チャネル１３２の容量制限を超えるか否かを判断する。データチャネル１３１に割り当てられる各送信データの各割当情報の合計容量が容量制限を超えるか否かを判断する方法の例を説明する。
【００５１】
第１の例として、そのときのバッファ１１１に保持されている各送信データの各割当情報が制御チャネル１３２の容量制限に飽和し、かつ、これらの送信データの合計容量がデータチャネル１３１の容量制限より小さい場合に、その後すぐにバッファ１１１に新たな送信データが保持されると仮定して、データチャネル１３１に割り当てられる各送信データの各割当情報の合計容量が容量制限を超えると判断する。
【００５２】
各送信データの各割当情報が制御チャネル１３２の容量制限に飽和しているか否かは、たとえば、送信データの数が、制御チャネル１３２の容量制限に対応する閾値（たとえば６）となっているか否かによって判断する。第２の例として、そのときのバッファ１１１に保持されている送信データの数が、制御チャネルの容量制限に対応する閾値（たとえば６）を超える場合に、データチャネル１３１に割り当てられる各送信データの各割当情報の合計容量が容量制限を超えると判断する。
【００５３】
第３の例として、そのときのバッファ１１１に保持されている送信データの数が、制御チャネルの容量制限に対応する閾値（たとえば６）よりわずかに少ない閾値（たとえば５）を超える場合に、その後すぐにバッファ１１１に新たな送信データが保持されると仮定して、データチャネル１３１に割り当てられる各送信データの各割当情報の合計容量が容量制限を超えると判断する。
【００５４】
第４の例として、１つのフレームに割り当てる送信データの数が多く、かつ各送信データの容量が小さいと割当情報の容量が制御チャネルの容量制限を超えることを利用して、そのときのバッファ１１１に保持されている各送信データの、送信データ１つあたりの容量に基づいて判断する。具体的には、そのときのバッファ１１１に保持されている各送信データの平均容量が、（データチャネル１３１の容量）／（制御チャネル１３２の容量制限に対応する送信データの数）より小さい場合に、データチャネル１３１に割り当てられる各送信データの各割当情報の合計容量が容量制限を超えると判断する。
【００５５】
第４の例は、１つのフレームに割り当てる送信データの数が多い場合にのみ用いるようにしてもよい。たとえば、バッファ１１１に保持されている送信データの数が、制御チャネルの容量制限に対応する数の７０％以上である場合は、第４の例による判断を行う。それ以外の場合は、第１〜第３の例による判断を行うか、データチャネル１３１に割り当てられる各送信データの各割当情報の合計容量が容量制限を超えないと判断する。
【００５６】
第４の例において、たとえば、（データチャネル１３１の容量）／（制御チャネル１３２の容量制限に対応する送信データの数）＝１０ｋｂｙｔｅ／１０＝１ｋｂｙｔｅであるとする。この場合に、バッファ１１１に保持されている送信データの数が３であり、各送信データの合計容量が４ｋｂｙｔｅである場合は、各送信データの平均容量は４ｋｂｙｔｅ／３＝１．３３…ｋｂｙｔｅ≧１ｋｂｙｔｅとなるため、各送信データの各割当情報の合計容量が容量制限を超えないと判断する。
【００５７】
また、バッファ１１１に保持されている送信データの数が７であり、各送信データの合計容量が６ｋｂｙｔｅである場合は、各送信データの平均容量は６ｋｂｙｔｅ／７＝０．８６…ｋｂｙｔｅ＜１ｋｂｙｔｅとなるため、各送信データの各割当情報の合計容量が容量制限を超えると判断する。
【００５８】
また、バッファ１１１に保持されている送信データの数が８であり、各送信データの合計容量が１０ｋｂｙｔｅである場合は、各送信データの平均容量は１０ｋｂｙｔｅ／８＝１．２５ｋｂｙｔｅ≧１ｋｂｙｔｅとなるため、各送信データの各割当情報の合計容量が容量制限を超えないと判断する。
【００５９】
以上のような方法によって、データチャネル１３１に割り当てられる各送信データの各割当情報の合計容量が容量制限を超えると判断した場合は、図５に示すように、割当部１１２が、フレーム１３０のデータチャネル１３１に対して、無線端末装置ＵＥ＃４〜ＵＥ＃１２をそれぞれ宛先とする送信データ＃４〜＃１２を割り当てる。
【００６０】
ここでは、フレーム１３０に割り当てられた送信データ＃４〜＃１２のうちの送信データ＃４〜＃９の合計容量は、制御チャネル１３２の容量制限内であるとする。また、送信データ＃４〜＃９の割当情報の合計容量に、送信データ＃１０〜＃１２のいずれの容量を加えても制御チャネル１３２の容量制限を超えるとする。
【００６１】
この場合は、第２格納部１１５は、送信データ＃１０〜＃１２の各割当情報を、制御チャネル１３２の容量制限を超える割当情報として検出する。第２格納部１１５は、曲点線矢印で示すように、検出された送信データ＃１０〜＃１２の各割当情報を、フレーム１２０の制御チャネル１２２に格納する。また、第２格納部１１５は、フレーム１３０のデータチャネル１３１に割り当てられる送信データ＃１０〜＃１２の各割当情報を、フレーム１２０の制御チャネル１２２に格納する旨の情報を制御チャネル１２２に格納する。
【００６２】
図６は、図５に示した制御チャネルに格納される制御情報の一例を示す図である。図６に示すように、フレーム１２０の制御チャネル１２２に格納される制御情報６１０は、フォーマット情報６１１と、下り方向制御情報６１２と、上り方向個別制御情報６１３と、上り方向共通制御情報６１４と、から構成されている。
【００６３】
フォーマット情報６１１は、下り方向制御情報６１２、上り方向個別制御情報６１３および上り方向共通制御情報６１４の各情報のサイズなどを示す識別子である。下り方向制御情報６１２には、データチャネルにおいて送信データが割り当てられているリソースブロックを示す割当情報や、送信データの変調方式およびサイズや、自動再送制御を行うためのＨＡＲＱ（Ｈｙｂｒｉｄ  Ａｕｔｏｍａｔｉｃ  Ｒｅｐｅａｔ  ｒｅＱｕｅｓｔ）情報や、送信データの宛先の無線端末装置を示すＵＥ−ＩＤなどが格納される。
【００６４】
また、下り方向制御情報６１２には、下り方向制御情報６１２に格納されている割当情報がフレーム１２０とは異なるフレームに割り当てられた送信データの割当情報である場合には、その旨を示すフラグ情報と、その異なるフレームを示すフレーム識別情報が格納される。たとえば、図５で説明した場合では、制御チャネル１２２のフォーマット情報６１１には、フラグ情報と、フレーム１３０を示すフレーム識別情報と、が格納される。
【００６５】
上り方向個別制御情報６１３には、データ送信要求のあった無線端末装置に対する個別の制御情報が格納されている。上り方向個別制御情報６１３には、上り帯域の割当情報や、許可する変調方式、データのサイズおよび送信電力を示す情報や、対象の無線端末装置を示すＵＥ−ＩＤなどが格納されている。上り方向共通制御情報６１４には、送信確認のＡＣＫ／ＮＡＣＫの情報や、ＴＣＰ（Ｔｒａｎｓｍｉｓｓｉｏｎ  Ｃｏｎｔｒｏｌ  Ｐｒｏｔｏｃｏｌ）の情報などのフィードバック情報などが含まれている。
【００６６】
図７は、実施の形態１にかかる無線基地局装置の動作を示すフローチャートである。ここでは、図４および図５に示したフレーム１２０，１３０を生成して送信する動作を説明する。図７に示すように、まず割当部１１２が、バッファ１１１から読み出した各送信データの宛先の各無線端末装置の状態をチェックする（ステップＳ７０１）。
【００６７】
つぎに、割当部１１２が、ステップＳ７０１によってフレーム１２０を受信可能な状態であると判断された各無線端末装置を宛先とする各送信データについて、送信するフレーム１２０に割り当てるための係数計算を行う（ステップＳ７０２）。つぎに、ステップＳ７０３によって計算された係数に基づいて、送信するフレーム１２０のデータチャネル１２１に送信データを割り当てる（ステップＳ７０３）。
【００６８】
つぎに、格納部１１３が、送信するフレーム１２０の制御チャネル１２２に、ステップＳ７０３による割当に基づく割当情報を格納する（ステップＳ７０４）。つぎに、送信するフレーム１２０の制御チャネル１２２の容量に空きがあるか否かを判断する（ステップＳ７０５）。フレーム１２０の制御チャネル１２２の容量に空きがない場合（ステップＳ７０５：Ｎｏ）は、ステップＳ７１３へ進んで処理を続行する。
【００６９】
ステップＳ７０５において、フレーム１２０の制御チャネル１２２の容量に空きがある場合（ステップＳ７０５：Ｙｅｓ）は、そのときのバッファ１１１に送信データがあるか否かを判断する（ステップＳ７０６）。バッファ１１１に送信データがない場合（ステップＳ７０６：Ｎｏ）は、ステップＳ７１３へ進んで処理を続行する。
【００７０】
ステップＳ７０６において、バッファ１１１に送信データがある場合（ステップＳ７０６：Ｙｅｓ）は、送信するフレーム１２０の次のフレーム１３０のデータチャネル１３１に割り当てられる各送信データの各割当情報の合計容量が、フレーム１３０の制御チャネル１３２の容量制限を超えるか否かを判断する（ステップＳ７０７）。
【００７１】
ステップＳ７０７において、各割当情報の合計容量がフレーム１３０の制御チャネル１３２の容量制限を超えないと判断した場合（ステップＳ７０７：Ｎｏ）は、ステップＳ７１３へ進んで処理を続行する。各割当情報の合計容量が制御チャネル１３２の容量制限を超えると判断した場合（ステップＳ７０７：Ｙｅｓ）は、バッファ１１１にある各送信データの宛先の各無線端末装置の状態をチェックする（ステップＳ７０８）。
【００７２】
つぎに、ステップＳ７０８によって、送信するフレーム１２０の次のフレーム１３０を受信可能な状態であると判断された各無線端末装置を宛先とする各送信データについて、フレーム１３０に割り当てるための係数計算を行う（ステップＳ７０９）。つぎに、ステップＳ７０９によって計算された各係数に基づいて、次のフレーム１３０のデータチャネル１３１に各送信データを割り当てる（ステップＳ７１０）。
【００７３】
つぎに、ステップＳ７１０による割当に基づく各割当情報のうちの、次のフレーム１３０の制御チャネル１３２の容量制限を超える割当情報を、送信するフレーム１２０の制御チャネル１２２に格納する（ステップＳ７１１）。つぎに、フレーム１３０のデータチャネル１３１に割り当てられる送信データ＃１０〜＃１２の各割当情報を、フレーム１２０の制御チャネル１２２に格納する旨の情報を（フラグ情報とフレーム識別情報）を、送信するフレーム１２０の制御チャネル１２２に格納する（ステップＳ７１２）。
【００７４】
つぎに、送信部１１６が、フレーム１２０を各無線端末装置ＵＥ＃１〜ＵＥ＃１２へ送信し（ステップＳ７１３）、一連の処理を終了する。以上のステップにより、対象のフレーム１３０の前のフレーム１２０の制御チャネル１２２の容量に空きがある場合に、フレーム１３０に割り当てる各送信情報の各割当情報のうちの制御チャネル１３２の容量制限を超える割当情報を、フレーム１２０の制御チャネル１２２に格納することができる。
【００７５】
このように、実施の形態１にかかる無線基地局装置１００によれば、対象のフレーム１３０に割り当てる各送信情報の各割当情報のうちの制御チャネル１３２の容量制限を超える割当情報を、前のフレーム１２０の制御チャネル１２２に格納することができる。これにより、データチャネル１３１の容量に空きがあれば、制御チャネル１３２の容量制限を超えて送信データを割り当てることができる。このため、データチャネル１３１に対して送信データを無駄なく割り当て、無線資源を効率的に利用することができる。
【００７６】
（実施の形態２）
図８は、実施の形態２にかかる無線基地局装置が生成するフレームを示す図である。実施の形態２にかかる無線基地局装置１００が適用される無線通信システム２００（図２参照）および無線基地局装置１００によるフレーム生成の流れ（図３参照）は、実施の形態１にかかる無線基地局装置１００と同様であるため説明を省略する。図８において、図４および図５に示した部分と同様の部分については同一の符号を付して説明を省略する。
【００７７】
無線基地局装置１００は、図４に示した場合と同様に、フレーム１２０の後にフレーム１３０を生成して送信する。割当部１１２は、フレーム１２０のデータチャネル１２１に対して、データチャネル１２１の容量制限内で各送信データを割り当てる。ここでは、割当部１１２は、データチャネル１２１に対して、無線端末装置ＵＥ＃１〜ＵＥ＃９をそれぞれ宛先とする送信データ＃１〜＃９を割り当てる。
【００７８】
第１格納部１１４は、送信データ＃１〜＃９のうちの、制御チャネル１２２の容量制限内の割当情報を制御チャネル１２２に格納する。ここでは、送信データ＃１〜＃９のうちの送信データ＃１〜＃６の合計容量は、制御チャネル１２２の容量制限内であるとする。また、送信データ＃１〜＃６の割当情報の合計容量に、送信データ＃７〜＃９のいずれの容量を加えても制御チャネル１２２の容量制限を超えるとする。
【００７９】
この場合は、第１格納部１１４は、直点線矢印で示すように、送信データ＃１〜＃６の割当情報を制御チャネル１２２に格納する。第２格納部１１５は、送信データ＃１〜＃９のうちの制御チャネル１２２の容量制限を超える割当情報を、フレーム１２０の次のフレーム１３０の制御チャネル１３２に格納する。ここでは、第２格納部１１５は、曲点線矢印で示すように、送信データ＃７〜＃９の各割当情報を制御チャネル１３２に格納する。
【００８０】
また、割当部１１２は、フレーム１２０の次のフレーム１３０のデータチャネル１３１に対して、無線端末装置ＵＥ＃１を宛先とする２回目の送信データ＃１（２）と、無線端末装置ＵＥ＃２を宛先とする２回目の送信データ＃２（２）と、無線端末装置ＵＥ＃３を宛先とする２回目の送信データ＃３（２）と、を割り当てる。
【００８１】
第１格納部１１４は、フレーム１３０のデータチャネル１３１に割り当てられた各送信データのうちの、制御チャネル１３２の容量制限内の割当情報を制御チャネル１３２に格納する。ここでは、フレーム１３０に割り当てられた送信データ＃１（２），＃２（２），＃３（２）の合計容量は、制御チャネル１３２の容量制限内であるとする。この場合は、第１格納部１１４は、直点線矢印で示すように、送信データ＃１（２），＃２（２），＃３（２）を制御チャネル１３２に格納する。
【００８２】
図９は、図８に示した制御チャネルに格納される制御情報の一例を示す図である。図２において、図６に示した部分と同様の部分については同一の符号を付して説明を省略する。図９に示すように、フレーム１２０の制御チャネル１２２に格納される制御情報９１０は、保持抽出情報９１１と、フォーマット情報６１１と、下り方向制御情報６１２と、上り方向個別制御情報６１３と、上り方向共通制御情報６１４と、から構成されている。
【００８３】
保持抽出情報９１１には、フレーム１２０のデータチャネル１２１に割り当てられている送信データの割当情報がフレーム１２０とは異なるフレームに格納されている場合には、その旨を示すフラグ情報と、その異なるフレームを示すフレーム識別情報が格納される。また、保持抽出情報９１１には、フラグ情報およびフレーム識別情報とともに、対象の送信データの宛先を示すＵＥ−ＩＤが格納される。
【００８４】
図８で説明した場合では、保持抽出情報９１１には、フラグ情報と、フレーム１３０を示すフレーム識別情報と、対象の送信データの宛先である無線端末装置ＵＥ＃７〜ＵＥ＃９を示すＵＥ−ＩＤが格納される。この場合は、無線端末装置ＵＥ＃７〜ＵＥ＃９のそれぞれは、フレーム１２０を受信したときに、フレーム１２０の制御チャネルの保持抽出情報９１１にフラグ情報が格納されているため、受信したフレーム１２０を保持し、保持抽出情報９１１に格納されたフレーム識別情報が示すフレーム１３０を受信するのを待つ。
【００８５】
そして、無線端末装置ＵＥ＃７〜ＵＥ＃９のそれぞれは、フレーム１３０を受信したときに、フレーム１３０の制御チャネル１３２に格納された割当情報に基づいて、保持していたフレーム１２０からそれぞれ送信データ＃７〜＃９を取得する。なお、制御チャネル１２２の制御情報９１０の下り方向制御情報６１２には、図６において説明したフラグ情報およびフレーム識別情報は格納されない。
【００８６】
図１０−１は、実施の形態２にかかる無線基地局装置の動作を示すフローチャート（その１）である。図１０−２は、実施の形態２にかかる無線基地局装置の動作を示すフローチャート（その２）である。ここでは、図８に示したフレーム１２０，１３０を生成して送信するときの動作を説明する。図１０−１に示すように、まず、割当部１１２が、バッファ１１１から読み出した各送信データの宛先の各無線端末装置の状態をチェックする（ステップＳ１００１）。
【００８７】
つぎに、割当部１１２が、ステップＳ１００１によってフレーム１２０を受信可能な状態であると判断された各無線端末装置について、送信するフレーム１２０に割り当てるための係数計算を行う（ステップＳ１００２）。つぎに、割当部１１２が、ステップＳ１００２によって計算された係数に基づいて、送信するフレーム１２０に送信データを割り当てる（ステップＳ１００３）。
【００８８】
つぎに、割当部１１２が、送信するフレーム１２０の制御チャネル１２２に、ステップＳ１００３による割当に基づく割当情報を格納する（ステップＳ１００４）。つぎに、送信するフレーム１２０の制御チャネル１２２の容量に空きがあるか否かを判断する（ステップＳ１００５）。制御チャネル１２２の容量に空きがない場合（ステップＳ１００５：Ｎｏ）は、ステップＳ１００９へ進んで処理を続行する。
【００８９】
ステップＳ１００５において、制御チャネル１２２の容量に空きがある場合（ステップＳ１００５：Ｙｅｓ）は、フレーム１２０の前のフレームのデータチャネルに割り当てた各送信データの各割当情報のうちの、未送信（どの制御チャネルにも格納していない）の割当情報があるか否かを判断する（ステップＳ１００６）。未送信の割当情報がない場合（ステップＳ１００６：Ｎｏ）は、ステップＳ１００８へ進んで処理を続行する。
【００９０】
ステップＳ１００６において、未送信の割当情報がある場合（ステップＳ１００６：Ｙｅｓ）は、その未送信の割当情報を、送信するフレーム１２０の制御チャネル１２２に格納する（ステップＳ１００７）。つぎに、送信するフレーム１２０の制御チャネル１２２の容量に空きがあるか否かを判断する（ステップＳ１００８）。容量に空きがある場合（ステップＳ１００８：Ｙｅｓ）は、図１０−２（符号Ａ）のステップＳ１０１５へ進んで処理を続行する。
【００９１】
ステップＳ１００８において、制御チャネル１２２の容量に空きがない場合（ステップＳ１００８：Ｎｏ）は、図１０−２（符号Ｂ）のステップＳ１００９へ進み、バッファ１１１に送信データがあるか否かを判断する（ステップＳ１００９）。バッファ１１１に送信データがない場合（ステップＳ１００９：Ｎｏ）は、ステップＳ１０１５へ進んで処理を続行する。バッファ１１１に送信データがある場合（ステップＳ１００９：Ｙｅｓ）は、送信するフレーム１２０のデータチャネル１２１の容量に空きがあるか否かを判断する（ステップＳ１０１０）。
【００９２】
ステップＳ１０１０において、データチャネル１２１の容量に空きがある場合（ステップＳ１０１０：Ｙｅｓ）は、バッファ１１１の各送信データの宛先の各無線端末装置の状態をチェックする（ステップＳ１０１１）。つぎに、ステップＳ１０１１によってフレーム１２０を受信可能な状態であると判断された各無線端末装置について、送信するフレーム１２０に割り当てるための係数計算を行う（ステップＳ１０１２）。
【００９３】
つぎに、ステップＳ１０１２によって計算した係数に基づいて、送信するフレーム１２０のデータチャネル１２１に各送信データを割り当てる（ステップＳ１０１３）。つぎに、ステップＳ１０１３によって割り当てた送信データの割当情報を次のフレーム１３０の制御チャネル１３２に格納する旨の情報（フラグ情報とフレーム識別情報）を、送信するフレーム１２０の制御チャネル１２２に格納し（ステップＳ１０１４）、ステップＳ１００９に戻って処理を続行する。
【００９４】
ステップＳ１０１０において、データチャネル１２１の容量に空きがない場合（ステップＳ１０１０：Ｎｏ）は、フレーム１２０を各無線端末装置へ送信し（ステップＳ１０１５）、一連の処理を終了する。以上のステップにより、フレーム１２０に割り当てる各送信情報の各割当情報のうちの制御チャネル１２２の容量制限を超える割当情報を、フレーム１２０の次のフレーム１３０の制御チャネル１３２に格納することができる。
【００９５】
このように、実施の形態２にかかる無線基地局装置１００によれば、対象のフレーム１２０に割り当てる各送信情報の各割当情報のうちの制御チャネル１２２の容量制限を超える割当情報を、次のフレーム１３０の制御チャネル１３２に格納することができる。これにより、データチャネル１２１の容量に空きがあれば、制御チャネル１２２の容量制限を超えて送信データを割り当てることができる。このため、データチャネル１３１に対して送信データを無駄なく割り当て、無線資源を効率的に利用することができる。
【００９６】
図１１は、無線基地局装置が送信するリファレンスシグナルを示す図である。無線基地局装置１００は、割当部１１２によるリソースブロック群３２０に対する各送信データの割り当ての前に、各無線端末装置に対して図１１に示すようなリファレンスシグナル１１００を送信する。リファレンスシグナル１１００は、リソースブロック群３２０に対してあらかじめ定められたパターンのシグナルＲを割り当てた信号である。
【００９７】
図１２は、無線端末装置が送信するフィードバック情報を示す図である。無線基地局装置１００からリファレンスシグナル１１００（図１１参照）を受信した各無線端末装置のそれぞれは、リファレンスシグナル１１００の帯域３３０をグループＧ＃１〜Ｇ＃８に分割し、分割した各グループにおけるシグナルＲの受信品質からＣＱＩ（Ｃｈａｎｎｅｌ  Ｑｕａｌｉｔｙ  Ｉｎｄｉｃａｔｏｒ：無線品質）を算出する。
【００９８】
各無線端末装置は、算出したグループＧ＃１〜Ｇ＃８ごとのＣＱＩを示すフィードバック情報１２００を無線基地局装置１００へ送信する。ここでは、フィードバック情報１２００が示すグループＧ＃１〜Ｇ＃８ごとのＣＱＩが、それぞれ「３」，「１０」，「２０」，「１５」，「１８」，「１３」，「９」，「１４」となっている。
【００９９】
無線基地局装置１００の割当部１１２は、フィードバック情報１２００を送信した無線端末装置を宛先とする送信データ（ここでは送信データ＃１とする）について、リソースブロック群３２０のうちの、ＣＱＩが最も高いグループＧ＃３に属するリソースブロックに他の送信データが割り当てられているか否かを判断する。
【０１００】
割当部１１２は、グループＧ＃３に属するリソースブロックに他の送信データが割り当てられていない場合は、グループＧ＃３に属するリソースブロックに送信データ＃１を割り当て、他の送信データが割り当てられている場合は、ＣＱＩが２番目に高いグループＧ＃５に属するリソースブロックに他の送信データが割り当てられているかを判断する。
【０１０１】
以下同様に、割当部１１２は、グループＧ＃５，Ｇ＃４，Ｇ＃８，Ｇ＃６，Ｇ＃２，Ｇ＃７，Ｇ＃１の順に送信データを割り当てるリソースブロックのグループを選択する。割当部１１２は、割り当てを行う送信データごとに、その送信データの宛先の無線端末装置から送信されたフィードバック情報１２００を取得し、取得したフィードバック情報１２００が示すＣＱＩが高いリソースブロックにその送信データを優先的に割り当てる。
【０１０２】
以上説明したように、開示の無線基地局装置、無線端末装置および無線通信方法によれば、無線資源を効率的に利用することができる。
【図面の簡単な説明】
【０１０３】
【図１】実施の形態にかかる無線基地局装置の概要を示す図である。
【図２】実施の形態１にかかる無線通信システムの構成を示すブロック図である。
【図３】無線基地局装置によるフレーム生成の流れを示す図である。
【図４】実施の形態１にかかる無線基地局装置が生成するフレームを示す図（その１）である。
【図５】実施の形態１にかかる無線基地局装置が生成するフレームを示す図（その２）である。
【図６】図５に示した制御チャネルに格納される制御情報の一例を示す図である。
【図７】実施の形態１にかかる無線基地局装置の動作を示すフローチャートである。
【図８】実施の形態２にかかる無線基地局装置が生成するフレームを示す図である。
【図９】図８に示した制御チャネルに格納される制御情報の一例を示す図である。
【図１０−１】実施の形態２にかかる無線基地局装置の動作を示すフローチャート（その１）である。
【図１０−２】実施の形態２にかかる無線基地局装置の動作を示すフローチャート（その２）である。
【図１１】無線基地局装置が送信するリファレンスシグナルを示す図である。
【図１２】無線端末装置が送信するフィードバック情報を示す図である。
【符号の説明】
【０１０４】
１００  無線基地局装置
１２０，１３０  フレーム
１２１，１３１  データチャネル
１２２，１３２  制御チャネル
２００  無線通信システム
２１０，２２０，２３０  管理エリア
３２０  リソースブロック群
３３０  帯域
６１０，９１０  制御情報
９１１  保持抽出情報
１１００  リファレンスシグナル
１２００  フィードバック情報
【図１】
0004654253.tif 000002
【図２】
0004654253.tif 000003
【図３】
0004654253.tif 000004
【図４】
0004654253.tif 000005
【図５】
0004654253.tif 000006
【図６】
0004654253.tif 000007
【図７】
0004654253.tif 000008
【図８】
0004654253.tif 000009
【図９】
0004654253.tif 000010
【図１０−１】
0004654253.tif 000011
【図１０−２】
0004654253.tif 000012
【図１１】
0004654253.tif 000013
【図１２】
0004654253.tif 000014